(57)【要約】【課題】ユ−ザ・インターフェース・システムは、ユーザが選択可能な収集時間間隔を含む期間をカバーするトレンド表示ディスプレイに患者の医療パラメータ・データを提供する。【解決手段】収集プロセッサは、患者のモニター装置から、複数のユーザが選択可能な患者のパラメータ収集間隔の時間のうち複数の異なる時間に対応する複数のデータ値を含む患者のパラメータを表すデータを収集する。ジェネレータは、ユーザが選択可能な収集時間間隔を含む時間をカバーする前記患者のパラメータのトレンド表示ディスプレイを表す第一イメージを表すデータであって、個々の収集時間間隔において、第一のデータ・ポイントの数値を含むデータを生成する。そのジェネレータは、ユーザの指令に応答して、前記個々の収集時間間隔の拡張を含むイメージ・ウインドウを表すデータであって、前記第一の数値より大きな第二の数値のデータを含むデータを生成する。そのジェネレータは、ユーザ指令に応答して、前記第一のデータ・ポイントの数値を置き換えるために、前記第一のイメージの前記個々の収集時間間隔を、前記拡張された個々の収集時間間隔ウインドウから選択された少なくとも一つのデータによって置き換える。
2005527284.tif 000002
【特許請求の範囲】
【請求項１】
ユーザが選択可能な収集時間間隔を含む時間をカバーするトレンド表示ディスプレイのために患者の医療パラメータ・データを提供するユーザ・インターフェース・システムであって、
複数のユーザが選択可能な患者パラメータ収集時間の間隔のうち複数の異なる時間に対応する複数のデータ値を含む患者のパラメータを表すデータを、患者のモニター装置から収集する収集プロセッサと、
ユーザが選択可能な収集時間間隔を含む時間をカバーする前記患者のパラメータのトレンド表示ディスプレイを表す第一イメージを表すデータであって、個々の収集時間間隔において、第一のデータ・ポイントの数を含むデータを生成し、
ユーザの指令に応答して、前記個々の収集時間間隔の拡張を含むイメージ・ウインドウを表すデータであって、前記第一の数より大きな第二の数のデータを含むデータを生成し、
ユーザ指令に応答して、前記第一のデータ・ポイントの数を置き換えるために、前記第一のイメージの前記個々の収集時間間隔を、前記拡張をされた個々の収集時間間隔のウインドウから選択された少なくとも一つのデータによって置き換えるジェネレータと、を備えているシステム。
【請求項２】
請求項１に記載のユーザ・インターフェース・システムにおいて、
前記第二のデータ・ポイントの数の値のユーザによる編集をサポートしているデータ・プロセッサを含むシステム。
【請求項３】
請求項１に記載のユーザ・インターフェース・システムにおいて、
前記第一のデータ・ポイントの数は単一のデータ・ポイントの数であり、
前記第二のデータ・ポイントの数は単一のデータ・ポイントの数であるシステム。
【請求項４】
請求項１に記載のユーザ・インターフェース・システムにおいて、
前記個々の収集時間間隔の拡張を含む前記イメージ・ウインドウは、前記個々の収集時間間隔より小さい第二の時間間隔を含み、
前記第二の時間間隔は、ユーザ・ナビゲーション・指令に応答して、前記個々の収集時間間隔の中で移動可能であるシステム。
【請求項５】
請求項１に記載のユーザ・インターフェース・システムにおいて、
前記第二のデータ・ポイントの数は、前記収集プロセッサによって得られる生のデータから成るシステム。
【請求項６】
請求項１に記載のユーザ・インターフェース・システムにおいて、
前記第二のデータ・ポイントの数は、前記収集プロセッサによって収集され、一又は複数のユーザにより選択されたデータ・ポイントの数を含み、
前記第一のデータ・ポイントの数は一または複数のポイントを含み、
前記選択された、個々の収集時間間隔を表すために、前記第一のデータ・ポイントの数を選択し、前記選択された一または複数のポイントを、ユーザが選択をしたデータであって、前記収集プロセッサによって収集されたデータで置き換えることをサポートするデータ・プロセッサを含むシステム。
【請求項７】
請求項１に記載のユーザ・インターフェース・システムにおいて、
前記ジェネレータは、ユーザ指令に応答して、前記第一のイメージにおいて、前記個々の収集時間間隔に対応して関連付けるために、注釈を表すデータを生成するシステム。
【請求項８】
請求項１に記載のユーザ・インターフェース・システムにおいて、
前記患者のパラメータが少なくとも
（ａ）血圧パラメータ、
（ｂ）人工呼吸器パラメータ、
（ｃ）生命兆候パラメータ、
（ｄ）血中酸素濃度を表すパラメータ、
（ｅ）点滴に伴う輸液ポンプ・パラメータ、
のうち少なくとも一を含むシステム。
【請求項９】
ユーザが選択可能な収集時間間隔を含む時間をカバーしているトレンド表示ディスプレイに患者の医療パラメータ・データを提供するためのユーザ・インターフェース・システムであって、
複数のユーザが選択可能な患者のパラメータ収集間隔の時間のうち複数の異なる時間に対応する複数のデータ値を含む患者のパラメータを表すデータを、患者モニター装置から得るための収集プロセッサと、
ユーザが選択可能な収集時間間隔を含む時間をカバーする前記患者パラメータのトレンド表示ディスプレイを表す第一のイメージを表すデータを生成し、
個々の収集時間間隔のユーザによる選択に応答して、収集間隔を強調して、ユーザが、
（ａ）前記個々の収集時間間隔の拡張を含むイメージ・ウインドウを表すデータの生成、
（ｂ）前記第一のイメージに関係付けられる前記個々の収集時間間隔に対応する注釈を表すデータの生成、
の少なくとも一の指示を行うことを可能とするイメージ部品を生成するジェネレータを含むシステム。
【請求項１０】
請求項９に記載のユーザ・インターフェース・システムにおいて、
前記選択された個々の収集間隔が第一のデータ・ポイントの数を含み、
前記第一のデータ・ポイントの数の値のユーザによる編集をサポートするデータ・プロセッサを含み、
前記ジェネレータは、ユーザが
（ａ）受入、
（ｂ）前記第一のデータ・ポイントの数の値の編集のキャンセル、
の少なくとも一を指示できるイメージ部品を生成するシステム。
【請求項１１】
請求項１０に記載のユーザ・インターフェース・システムにおいて、
前記第一のデータ・ポイントの数は、前記選択された個々の収集時間間隔を表すために前記システムによって選ばれた、一又は複数のポイントを含み、
前記データ・プロセッサは、前記収集プロセッサによって収集されたデータであって、前記ユーザが選択した一又は複数のポイントのデータの置き換えをサポートするシステム。
【請求項１２】
ユーザが選択可能な収集時間間隔を含む時間をカバーしているトレンド表示ディスプレイに患者の医療パラメータ・データを提供するためのユーザ・インターフェース・システムであって、
複数のユーザが選択可能な患者のパラメータ収集間隔の時間のうち複数の異なる時間に対応する複数のデータ値を含む患者のパラメータを表すデータを、患者モニター装置から得るための収集プロセッサと、
ユーザが選択可能な収集時間間隔を含む時間をカバーする前記患者パラメータのトレンド表示ディスプレイを表す第一のイメージを表すデータを生成するジェネレータと、
個々の収集時間間隔に関連して表示するために、前記収集プロセッサによって収集された前記患者のパラメータ・データに由来する、一つ又は複数のデータ・ポイントを自動的に選択をするためのフィルターと、
ユーザ指令に応答して、前記収集プロセッサによって収集され、前記自動的に選択をされた一または複数のデータ・ポイントの値を、ユーザが選択したデータの値で置き換えるためのデータ・プロセッサ処理装置と、を含むシステム。
【請求項１３】
ユーザが選択可能な収集時間間隔を含む時間をカバーするトレンド表示ディスプレイのために患者の医療パラメータ・データを処理する方法であって、
複数のユーザが選択可能な患者パラメータ収集時間の間隔のうち複数の異なる時間に対応する複数のデータ値を含む患者のパラメータを表すデータを、患者のモニター装置から収集するステップと、
ユーザが選択可能な収集時間間隔を含む時間をカバーする前記患者のパラメータのトレンド表示ディスプレイを表す第一イメージを表すデータであって、個々の収集時間間隔において、第一のデータ・ポイントの数を含むデータを生成するステップと、
ユーザの指令に応答して、前記個々の収集時間間隔の拡張を含むイメージ・ウインドウを表すデータであって、前記第一の数より大きな第二の数のデータを含むデータを生成するステップと、
ユーザ指令に応答して、前記第一のデータ・ポイントの数を置き換えるために、前記第一のイメージの前記個々の収集時間間隔を、前記拡張された個々の収集時間間隔のウインドウから選択された少なくとも一つのデータによって置き換えるステップと、を含む方法。
【請求項１４】
ユーザが選択可能な収集時間間隔を含む時間をカバーしているトレンド表示ディスプレイのために患者の医療パラメータ・データを処理する方法であって、
複数のユーザが選択可能な患者のパラメータ収集間隔の時間のうち複数の異なる時間に対応する複数のデータ値を含む患者のパラメータを表すデータを、患者モニター装置から得るステップと、
ユーザが選択可能な収集時間間隔を含む時間をカバーする前記患者パラメータのトレンド表示ディスプレイを表す第一のイメージを表すデータを生成するステップと、
個々の収集時間間隔のユーザによる選択に応答して、収集間隔を強調して、ユーザが、
（ａ）前記個々の収集時間間隔の拡張を含むイメージ・ウインドウを表すデータの生成
（ｂ）前記第一のイメージに関係付けられる前記個々の収集時間間隔に対応する注釈を表すデータの生成
の少なくとも一の指示を行うことを可能とするイメージ部品を生成するステップと、を含む方法。
【請求項１５】
ユーザが選択可能な収集時間間隔を含む時間をカバーしているトレンド表示ディスプレイのために患者の医療パラメータ・データを処理する方法であって、
複数のユーザが選択可能な患者のパラメータ収集間隔の時間のうち複数の異なる時間に対応する複数のデータ値を含む患者のパラメータを表すデータを、患者モニター装置から収集するステップと、
ユーザが選択可能な収集時間間隔を含む時間をカバーする前記患者パラメータのトレンド表示ディスプレイを表す第一のイメージを表すデータを生成するステップと、
個々の収集時間間隔に関連して表示するために、前記収集プロセッサによって収集された前記患者のパラメータ・データに由来する、一つ又は複数のデータ・ポイントを自動的に選ぶステップと、
ユーザ指令に応答して、前記収集プロセッサによって収集され、前記自動的に選択された一または複数のデータ・ポイントの値を、ユーザが選択したデータの値で置き換えるステップと、を含む方法。
【発明の詳細な説明】
【技術分野】
【０００１】
本発明は、医療情報の処理および表示、より具体的には、ネットワーク環境において患者の生命兆候を含む患者の医療データを処理し、表示することに関する。
【背景技術】
【０００２】
患者の医療パラメータ・データは、病院、クリニック、他のヘルスケア提供施設において、患者の臨床ケアを提供するために、収集され、照合され、格納され、表示される。患者の医療パラメータ・データは、生命兆候、人工呼吸器情報、点滴に伴う輸液ポンプ・データおよび他のデータを含む。この様な患者の医療パラメータ・データは、典型的には、患者モニター装置のスクリーン上の時間軸を有するトレンド表示チャートに表示される。この様なチャートは、一般にフローシートと呼ばれる。患者モニター装置は、患者のベットサイド、病棟または集中治療室のナースステーション、手術室、その他の場所に設置され、ローカルソース（例えば、患者に設置されたセンサー）あるいはリモートソース（例えば、遠隔地で収集された電子患者記録）から患者のパラメータ・データを収集するために、インターネット、LAN、WANまたはイントラネットのようなネットワークに接続していてもよい。フローシートは、紙の生命兆候フローシートの代用となる患者情報の電子時間軸チャートである。
【発明の開示】
【発明が解決しようとする課題】
【０００３】
フローシートが患者の状態を正しく示すために、フローシート生成システムは、パラメータ収集間隔の中で表示される実際のデータ・ポイントをユーザが調べることを可能とし、更に、これらのデータ・ポイントをユーザが編集することを可能とすることが望ましい。フローシートを生成する既存のシステムは、それらの機能が限定されている。具体的には、既存のシステムは表示されたフローシートのデータ・ポイントのユーザ検査、確証の編集、および選択に関して限定されたサポートを提供する。本発明によるシステムは、これらの限界および派生的な課題に対応する。
【課題を解決するための手段】
【０００４】
ユーザ・インターフェース・システムは、保存または表示するトレンド表示患者パラメータ・データの精度を改善するために、特定のパラメータ収集時間間隔と対応するデータ・ポイントのユーザによる検査、確証、編集および選択を可能とするズーム・ウインドウ機能をフローシートに提供する。ユーザ・インターフェース・システムは、ユーザが選択可能な収集時間間隔を含む時間をカバーしているトレンド表示ディスプレイに、患者の医療パラメータ・データを提供する。収集プロセッサは、患者モニター装置から、ある期間においてユーザが選択可能な複数の患者のパラメータ収集間隔に含まれる複数の異なる時間に対応する複数のデータ値を含む患者のパラメータを表しているデータを収集する。ジェネレータは、ユーザが選択可能な収集時間間隔を含む期間をカバーする患者のパラメータのトレンド表示ディスプレイに表示する第一の画像を表し、それぞれの収集時間間隔におけるデータ・ポイントの最初の数字を含むデータを生成する。ユーザ指令に応答して、ジェネレータは、個々の収集時間間隔の拡大を含む画像ウインドウを表し、第一の数より大きい第二の数のデータ・ポイントを含むデータを生成する。ユーザ指令に応答して、ジェネレータは、データ・ポイントの第一の数を置き換えるために、拡大されたそれぞれの収集時間間隔ウインドウから選ばれた少なくとも一つのデータ・ポイントで第一の画像のそれぞれの収集時間間隔を更新する。
【発明を実施するための最良の形態】
【０００５】
図１は、患者のパラメータのトレンド表示ユーザ・インターフェース表示（フローシートと呼ばれる）に特定のパラメータ収集時間間隔と関連するデータ・ポイントのユーザ検査、確証、編集および選択を可能にしているズーム・ウインドウ関数を提供している実行可能アプリケーションのホスティングを行うサーバ２０を含む通信ネットワークの典型的なブロック図である。このユーザ・インターフェース・システムは、好適に記憶または表示のためのトレンド表示患者のパラメータ・データの精度の改善を容易にする。別の実施例では、ユーザ・インターフェースを提供する実行可能アプリケーションは、図１に示されるネットワークのいかなる一部における他の処理デバイスに存在していてもよい。図１、通信ネットワーク１は、互いに接続されたローカルエリアおよびワイドエリアネットワークと互換性を持つＩＰ（インターネットプロトコル）によって表される。しかし、当業者が直ちに理解するように、現在の典型的な病院または医療ネットワークは、ＩＰ互換のネットワーク、あるいは、例えばこれらに限られないが、Ｘ２５、フレーム・リレー、ＩＢＭ  ＳＮＡなどのコンピュータ・プロトコルを使用する、これらに限られないが、光あるいはワイヤレスネットワークのようなその他のタイプのネットワークである点に留意する必要がある。加えて、記載されている典型的なネットワークは階層的なネットワークであるが、これは本発明において必要なものではない。ネットワーク上の装置に通信コネクションを提供するいかなる種類のネットワークアーキテクチャであっても、使うことができる。
【０００６】
図1に示すように、典型的な階層的なネットワーク１の第一のレベルは医療用・インターフェース・バス（ＭＩＢ）２を含む。ＭＩＢは、医療装置をローカルにつなぐためのよく知られた医療業界標準である。図1に示すように、ＭＩＢ２は、患者の部屋に置かれた医療装置を特定の患者へのケアを管理する部屋と相互接続するために、そして特定の患者をモニターするために典型的に用いられる。さまざまな医療装置が、ＭＩＢ２を経て接続可能である；例えば、図１に示される実施例は、人工呼吸器６ａ、ＩＶ（輸液）ポンプ８または他の医療機器１０を含む。イーサネット（登録商標）互換のＬＡＮネットワーク３と接続するために、ＭＩＢ２は、第二レベルのＬＡＮネットワーク３に、インターフェース・ドッキング・ステーション装置１２経由で典型的に接続される。ＬＡＮ３は、例えばシーメンス・メディカル・システム社によって販売されているＩＮＦＩＮＩＴＹ  ＬＡＮであってもよい。この、より上位レベルのＬＡＮ３は、組織の大きさにもよるが、集中治療部門、手術部門など、病院の特定の部門で典型的に使われるが、これは必然ではない。
【０００７】
図１には示されていないが、ＬＡＮ３を通じて複数の患者がモニターされ、あるいはケアを提供されるために、複数のＭＩＢは第二レベルのＬＡＮ３に接続可能である。加えて、医療装置は、より上位レベルのＬＡＮ３に直接接続可能である。例えば、図１に示すように、ＭＩＢの使用なしで、人工呼吸器６ｂおよび麻酔システム２２は、直接ＬＡＮ３に接続している。さらにまた、ＬＡＮ３は、また、イーサネット（登録商標）互換の病院ＬＡＮバックボーン４に相互接続可能である。このバックボーン・ネットワーク４は、病院または医療組織内でさまざまな部門間の、例えば、研究所システム１７と病院管理システム１５を接続し、通信コネクティビティを提供する。加えて、病院ＬＡＮ４は、例えばインターネット２９を介して、例えば遠隔診療室２３あるいは遠隔介護サイト２４から、ネットワーク１上のさまざまなシステムおよび装置にリモート、セキュアなアクセスを提供する、リモート・アクセス・ゲートウェイ１９を有する。あるいは、例えば、遠隔サイトはまた、個人的な接続のダイヤルアップ電話ポート、ＡＤＳＬまたは他方式で直接リモート・アクセス・ゲートウェイ１９にアクセスすることができる。リモート・アクセス・ゲートウェイ１９はまた、下記のように従来技術において知られているようにスタンド・アロンでなく、サーバ２０の一部であってもよい。
【０００８】
本発明の原理によれば、実行可能アプリケーション（または、他の実施例では複数のアプリケーション）は、例えば、ＨＬ７インターフェースを通じて接続される研究所システム１７を経て供給される研究結果を含めて、ＬＡＮ３に或いは病院ＬＡＮ４に接続された周辺医療装置または施設からのデータ収集及び処理のために、ＬＡＮ３上のセントラル・サーバ２０上に存在している。例えば、図１に示すような複数の医療装置から得られる更なる研究結果を含む付加的な医療パラメータ・データは、ＡＴＳＭメッセージングを使用するサーバ２０によって取得可能である。検査結果を含めた、収集された所定の患者に関する医学パラメータは、図１ネットワークのいかなるレベルにおいても、モニター５ａ、５ｂまたはＰＣ２６および３９あるいはその他のディスプレーホスティング装置のために、ネットワーク１上の医療装置から得られる。（例えばＬＡＮ３、４のように）全ての異なるレベルのＬＡＮは図１におけるリモートサイトのように互いに接続されているので、当業者は、サーバ２０がネットワーク１の階層のいかなるレベルにも存在することができると直ちに認識できる。サーバ２０の例はシーメンス・メディカル・システム社によって市場に出されたプロメテウス・サーバである。サーバは、例えば、マイクロソフトＮＴオペレーティングシステムが実行可能なコンピュータシステムによってホスト可能である。
【０００９】
サーバ２０の実行可能アプリケーションは、ユーザが選択可能な収集時間間隔から成る時間をカバーしている患者のパラメータ（フローシート）のトレンド表示ディスプレイにユーザ・インターフェースを提供する。フローシートのカラムによって表されるユーザが選択可能な収集時間間隔は、患者のパラメータが収集される時間（典型的には３分から４時間、あるいは他のユーザが選択可能な範囲）をカバーする。サーバ２０の実行可能アプリケーションは、収集した患者のパラメータ・データの量を表示または記憶に適している対処可能な量に下げるために、収集した患者のパラメータ・データにフィルターをかける。具体的には、サーバ２０のアプリケーションは、特定の収集時間間隔に対応して一つ以上の特定のデータ・ポイントを患者のパラメータ・トレンド表示ディスプレイに提供するために、収集した患者のパラメータ・データにフィルターをかける。
【００１０】
患者に取付けられた器材から得られる患者のパラメータ・データは、連続的あるいは離散的なタイプより特徴づけられることが可能である。連続的な患者のパラメータ・データは、概して表示された収集間隔より高い頻度で間をおいて周期的にサンプルされ収集される。そして、離散的な患者のパラメータ・データは非周期的間隔（例えば、看護婦の測定の開始に応じて）でまたは連続的な患者のパラメータ・データと比較して較的低い頻度の周期的間隔で収集される。サーバ２０の実行可能アプリケーションは、収集時間間隔を表すフローシートのカラムの表示のために、個々の収集時間間隔の略中心時間（またはそれに相当に近い）に起こる患者のパラメータ値を選ぶことによって、収集した連続的な患者のパラメータ・データに自動的にフィルターをかける。具体的には、選択された連続的な患者のパラメータ値は、個々の収集時間間隔を表す（ウェブ・ベースの）インターネット互換性を持つフローシートのカラムにおいて取り扱われる。サーバ２０の実行可能アプリケーションは、フローシートのカラムにおいて表示をするために、個々の収集時間間隔の中心の時間に最も近くに起こった患者のパラメータ値を選択することによって、自動的に離散的に収集した患者のパラメータ・データにフィルターをかける。更に、サーバ２０の実行可能アプリケーションは、好適に、臨床医（または他のユーザ）がフィルター処理されたデータ・ポイントを調査し、編集し、確証しまたは注釈を付すための、（そして自動的にフィルターを掛けたデータを上書きするための）、あるいは収集した患者のパラメータ・データがフローシートのカラムの収集間隔を表すために代わりのデータを選択するための、カーソル・ツールおよびユーザ・インターフェース画像ウインドウをサポートする。
【００１１】
図２は、サーバ２０の実行可能アプリケーションによって実行される機能をフローチャート形式で示す。サーバ２０の実行可能アプリケーションは、スタート・ステップ２０１の後、ステップ２０２に示されるように、ネットワーク上の装置と通信を確立する。公知技術の様に、これは、例えば、ＩＰプロトコルおよび、あらゆるより高いアプリケーション層のプロトコルとともに、ネットワーク１（図１）上の各々の装置の既知のＩＰデバイス・アドレスを用いて行われる。一旦通信がサーバ２０および他の装置の間で確立されると、ステップ２０４において、サーバ２０のアプリケーションは、モニターされるパラメータ、研究結果、および各種装置のために選択した設定のモニターを開始する。前述のように、研究結果は、ＬＩＳ１７を有するＨＬ７インターフェースを通じて、又は、図１に示したＡＳＴＭ或いははＭＩＢケア時点（ＰＯＣ）装置を通じて得ることが可能である。
【００１２】
医療データおよび研究結果は、連続的に、周期的にまたは非周期的に得ることが可能で、サーバ２０のリレーショナル・データベース２５に記憶する所定の患者と関連付けることが可能である。データベース２５は、（例えばマイクロソフトＳＱＬサーバのように）リレーショナルデータを記憶するために使用するタイプのものであってもよい。加えて、サーバ２０のアプリケーションは、例えば図１の研究システム１７において最初に入力され、記憶される医療研究結果を含む患者のパラメータ・データ及び患者のデータを得ることが可能である。また、サーバ２０のアプリケーションは、ヘルスケアプロバイダが入力した健康診断結果を収集することができる。ステップ２０６で、サーバ２０のアプリケーションは、ユーザ指令に応答して、表示を求められる順序及び／または時間枠に応じて、収集された患者データの優先順位を決定し、記憶する。サーバ２０のアプリケーションは、例えばステップ２０８および２１０において、フローシート上の生命兆候、人工呼吸器情報、点滴に伴う輸液ポンプ・データおよび他のデータを含む、トレンド表示患者のパラメータ・データを表示するために、ウインドウを生成する。例えば、患者のパラメータ・データは、点滴に伴う血圧パラメータ、人工呼吸器パラメータ、生命兆候パラメータ、血中酸素濃度を表すパラメータまたは輸液ポンプ・パラメータであってもよい。ステップ２０８および２１０で、サーバ２０のアプリケーションは、例えば、指定された患者のデータを表示する第一のウインドウと同時に、患者のパラメータ・データ、医療研究結果またはユーザが入力した健康診断結果を表示する第二のウインドウを平行して生成する、といったように表示のための複合ウインドウを生成する。図２のプロセスはステップ２１３で終了する。
【００１３】
本発明の一態様において、ユーザは、図１に示すようにＭｉｃｒｏｓｏｆｔ  Ｗｉｎｄｏｗｓ（登録商標）互換性を持つＰＣ２６またはＷｉｎｄｏｗｓ（登録商標）ＮＴ互換性を持つＰＣ３９を使用可能であり、所定の患者に関連付けられたフローシート、医療パラメータ、及び研究結果情報を見るために、（例えばＭｉｃｒｏｓｏｆｔ  Ｉｎｔｅｒｎｅｔ  ＥｘｐｌｏｒｅｒやＮｅｔｓｃａｐｅ  Ｎａｖｉｇａｔｏｒなどのような）ウェブ・ブラウザのようなメニュー生成可能なプログラムを実行可能なその他の処理装置を使用できる。これは有利である。その理由は、医師は例えば、フローシートまたは研究検査結果に、例えば、専用端末にアクセスすることなく、リモートの医師のオフィス２３からアクセスすることが可能であるからである。もちろん、ユーザは、周知のように、ユーザ・コンピュータ上でユーザの選択又はリクエストを入力するために、キーボードおよび／またはマウスを使用できる。サーバ２０は、従って、例えば、データをウェブ・ブラウザに表示するために、例えば、ＨＴＭＬ（ハイパー・テキスト・マークアップ言語）プログラミング言語と互換性を持つように、医療データを照合して、フォーマットすることができる。例えば、サーバ２０は、また、要求を生成するユーザのウェブ・ブラウザから発信されたＨＴＴＰ（ハイパーテキスト・トランスファー・プロトコル）コマンドに応答する。
【００１４】
図８は、ユーザ・インターフェース（患者の医療情報を示すシステム）を提供する方法のフローチャートである。ステップ２２１のスタート後のステップ２２３において、サーバ２０のアプリケーションは、個々の収集時間間隔を表しているフローチャートのカラムに表示するために、事前に収集した患者のパラメータ・データに基づく一つ以上の連続又は離散的なデータ・ポイント（上記したような）に自動的にフィルターをかけて、選択する。ステップ２２５において、サーバ２０のアプリケーションは、図３において図示したように、ユーザが選択可能な収集時間間隔から成る時間をカバーしている、収集した患者のパラメータのトレンド表示ディスプレイを示す、第一のフローチャート画像を表すデータの生成を始める。
【００１５】
図３のフローシートは、ユーザが電子フローシートにおいてデータを編集して、確証して、注釈をつけることができるカーソル・ツールを使用する。図３のフローシートのカラム３０３に示す時間間隔のような、患者のパラメータの個々の収集時間間隔を、ユーザが選択したことに応答して、サーバ２０のアプリケーションのカーソル機能が起動し、カーソル・ツール・コントロール・パネル３０５に加えて、カーソル・ツールがカラム３０３に表示される。個々の患者のパラメータ収集時間間隔は、収集時間間隔の中心の時間を示している時間が表示されることによって識別される。例えば、カラム３０３において示される個々の収集時間間隔の中心の時間は午前１０：００である。カーソル・ツール機能は、カラム３０３の患者のパラメータ・データの編集をサポートする表示部品（編集ボックス）の生成を始める。同様に、カーソル・ツール機能は、ユーザにより選択された収集時間間隔に対応するカラムの患者のパラメータ・データを、ユーザが編集することをサポートする、表示された患者のパラメータ編集ボックスの生成を始める。更に、コントロール・パネル３０５は、注釈ボタン３０７、ズーム・ボタン３０９、受入ボタン３１１およびキャンセル・ボタン３１３を含む４つのユーザ起動可能なボタンを含む。収集時間間隔のユーザによる選択に応答して、サーバ２０のアプリケーションのカーソル・ツールは、ステップ２２８（図８）において、収集間隔を強調する。カーソル・ツール機能もまた、フローチャートにおいて、互いに関連付けるために、個々の収集時間間隔に対応する注釈を表すデータの生成の開始を可能にする画像部品を生成する。
【００１６】
このために、コントロール・パネル３０５の注釈ボタン３０７（図３）をユーザが選択したことに応答して、ポップアップ・メニュー３２０は、図４にて図示したように表示される。図４のユーザ・インターフェース表示イメージのポップアップ・メニュー３２０は、ユーザがフローシートの患者の医療パラメータ・データに注釈をつけることを可能にする。更に、ポップアップ・メニュー３２０は、カラム３０３において選択された（そして、カーソル・ツールにより強調された）患者のパラメータ収集時間間隔の、空白でないデータを含んでいるテーブル３２３を含む。テキスト入力ウインドウ３２５は、ユーザがカラム３０３において選択した収集間隔と関連する注釈を入力することを可能にする。選択ボタン３２７を使って注釈の入力（テキストボックス３２５の入力）をユーザが開始したことに応答して、注釈シンボルがカラム３０３（図３）の上部に表示される。この注釈シンボルは、いつでも入力した注釈を見るために選択可能である。
【００１７】
図８のフローチャートに一旦戻って、サーバ２０のアプリケーションは、ステップ２３１において、コントロール・パネル３０５（図３）のズーム・ボタン３０９をユーザが選択したことに応答して、選択された個々の収集時間間隔の拡張を含む画像ウインドウを表すデータの生成を始める。図５は、図３（展開ウインドウ３３０により表される時間を含む）のフローシートにおいて、選ばれる収集間隔に対応する拡張された患者の医療パラメータ収集時間間隔から成るユーザ・インターフェース表示展開（ズーム）ウインドウ３３０を示す。拡張ウインドウ３３０の第３３３カラムは、図３において選択された収集時間間隔の中心の時間に対応する拡張ウインドウカラムを識別するために陰影をつけられる（図５の実施において９：００を中心の時間としてもつ間隔が示されている）。展開ウインドウ３３０は、ユーザに図３の対応する収集時間間隔において、表示されるデータ・ポイントの数より大きな数の患者のパラメータ・データ・ポイントを獲得したことを示している。これは、展開ウインドウ３３０は、獲得した連続（または離散的な）患者のパラメータ（生の）データであって、サーバの２０の実行可能アプリケーションのステップ２２３（図８）によって自動的にフィルターをかけられて図３のフローシートの収集時間間隔から締め出されたものを含んでいるからである。展開ウインドウ３３０の個々のカラムは、１分の間隔長をもつ患者のパラメータ収集時間間隔（しかし、他の実施例においては、他の時間を持っていてもよい）から成る。展開ウインドウ３３０は、選択されたカラムセンター時間の中心の時間の１０分前からその中心時間の１０分後の期間をカバーする獲得した患者のパラメータの生のデータを表示する。従って、水平方向のイメージ・ウインドウ・ナビゲーション・アイコンを使って（表示された矢印ボタンを使用して）、このウインドウにおいて表示可能な患者のパラメータの生のデータは２０カラム分あることになる。同様に、ユーザは、また、展開ウインドウ３３０において、そのデータの次あるいは前の２０分に移動して表示することができる。
【００１８】
図８のステップ２３４において、図６のユーザ・インターフェース表示イメージは、展開ウインドウ３３０から選ばれる少なくとも一つの対応するデータ・ポイントによって、第一のフローシート画像（図３に示される）の個々の収集時間間隔を更新するために使用される。図６は、ユーザが図５の展開ウインドウの患者の医療パラメータ・データを選択し、編集することをサポートしているポップアップ・メニュー３４０を組み込んでいるユーザ・インターフェース表示ウインドウを示す。ポップアップ・メニュー３４０は、図５の展開ウインドウ３３０の中で、カラム（例えば、カラム３３７）をユーザが選択したことに応答して表示される。ユーザは、現在フローシートの収集時間間隔を表しているデータ・ポイントであって、自動的にフィルター処理され、選択されたデータ・ポイントを、ユーザが患者の本当の状態により近いと決定した別のデータ・ポイントであって、展開ウインドウ３３０（図５）のカラムにおいて表示されているもので置換するために、ポップアップ・メニュー３４０（図６）を使用する。展開ウインドウ３３０（図５）のカラム３３７をユーザが選択したことに応答して、図６のポップアップ・メニュー３４０は、カラム３３７のゼロ以外のデータを含んで表示される。ユーザ・データ受理コマンド（アイコン３４３を経て）に応答して、カーソル・ツール（例えば、図３のカラム３０３）により強調されるフローシートの収集時間間隔のカラムに対応する個々のセルは、カラム３３７（図５）に対応するゼロ以外の評価されたデータにより埋められ、そしてポップアップ・メニュー３４０は消える（図６）。ユーザは、メニューのキャンセル・アイコン３４５を使用することによって、カラム３０３の更新を中止することが可能である。
【００１９】
図８のステップ２３７において、サーバ２０の実行可能なアプリケーションのカーソル・ツール機能は、カーソル・ツール（例えば、図３のカラム３０３において）によって強調された値を編集して、置き換えることを可能にする。カーソル・ツールにより強調される値は、以前に図５および６の展開ウインドウ３３０によって埋められた値であってもよいし、または収集した患者のパラメータ・データの自動的にフィルター処理で選択されたデータ・ポイントの値であってもよい。ユーザは、強調されたカラム３０３（図３）のこれらの値を、更に編集し、例えばユーザ指令に応答してユーザにより選択されたデータの値で置き換えるために、サーバ２０の実行可能なアプリケーションのカーソル・ツール機能を使用することが可能である。ユーザは強調されたカラム３０３のデータの値を選択し編集した後、ユーザは、コントロール・パネル３０５の受入ボタン３１１（図３）またはキャンセル・ボタン３１３によって、編集されたデータを受け入れるかキャンセルするかを指示する。ユーザがボタン３１１によって受入コマンドを指示したことに応答して、コントロール・パネル３０５と共に、強調しているカーソル・コントロール機能及びカラム３０３のカーソル・ツール・フォーマットは消えて、カラム３０３の現在のデータは、図３のフローシートにおいて表示するために、対応する編集されたデータで置き換えられる。データをカラム３０３に戻す前に、編集されたデータは、大きさ、範囲および極性基準を含む予め定められた合理性基準を使用して確証される。更に、カラム３０３において編集されたデータは確証されたものとしてマークされ、変化したカラム３０３は編集されたものとしてマークされる。カラム３０３の確証されていないデータはイタリック体で表示され、確証されたデータは通常のテキストにおいて表示される。そして、図３フローシートにおいて編集されたデータは太字で表示される。ユーザがボタン３１３によって取消コマンドを指示したことに応答して、コントロール・パネル３０５と共に、強調しているカーソル・コントロール機能及びカラム３０３のカーソル・ツール・フォーマットは消えて、カラム３０３の現在のデータは、そのまま変更せず残される。強調することおよびカーソル・ツールがよくコントロール・パネルとして３０５が取り除かれるにつれて、カラム３０３の中でフォーマット化するカーソル・コントロール機能およびカラムの現行データのユーザ開始に応答して、３０３は、不変のままにされる。
【００２０】
図７は、図３フローシートの複数の収集時間間隔を有するカーソル・ツール機能の活用法を示す。サーバ２０のアプリケーションのカーソル・ツール機能は、図７において、フローシート・データの複数のカラム（カラム３０３および３８３−３９３）をカバーするように拡大している。これは、例えば、ユーザが編集／確証にしたいと考える所望のカラムをカバーするために、ユーザが、カラム３０３に表示されるカーソル・ツールのいずれかの端をドラッグすることによって実現される。このことにより、ユーザは、カーソル・ツールによりカバーされる複数のカラムのデータを選んで、編集することが可能となる。また、ボタン３１１（コントロール・パネル３０５）によって、ユーザが受入コマンドを指示したことに応答して、選択された複数のカラムの既存のデータは、図６に関連して記載されたのと同様の方法で、フローシートの表示のために、対応する編集されたデータと交換される。受入コマンドのユーザによる起動も、大きさ、範囲および極性基準を含む予め定められた合理性基準に対して、編集されたデータの確証を指示する。キャンセル機能（ボタン３１３をによって指示された）は、また、図６において記載されたのと同様の方法で動作する。注釈およびズーム機能（ボタン３０７および３０９により指示された）は、単一のカラム幅を占めるだけに制限されたカーソル・ツールを使用するように制限される。図８の方法は、ステップ２４１で終わる。
【００２１】
図９は、患者の医療情報を含んでいるデータベース２５を管理して、照合して、検索して、更新するために動作するサーバ２０の例示的実施形態のブロック図を示す。本願明細書において、記載されているさまざまな機能を実行するための指示を行うために動作するプログラム要素またはプロセッサは、フローチャート関連処理を実行するための実行可能アプリケーション２５００と、所定の患者に割りあたられたモニターされたパラメータを含む患者データをネットワークから収集し、データベース２５に記憶するコミュニケーション・プロセッシング・モジュール２５０２を含む。ナビゲーション照合プロセッサ２５０４は、ユーザ・インターフェースによりユーザが選択した様々なアプリケーションによってナビゲートすると共に、ウェブ・ブラウザおよびディスプレイ・ジェネレータ・ソフトウェアと連動して動作し、パラメータを照合して、ユーザに表示する優先順位付けを行う。ネームサーバ・プロセッサ２５０６は、システムの全体にわたって患者情報を追跡して、更新するために、ユニーク識別子（ＩＤ）をシステム・ネットワークに接続している各々のノードに、そして、システムの各々の患者に関連付ける。入／出力データおよび制御信号は、データベース２５および検索エンジン２３とのインターフェース、そして、通信ライン２５１０を経たネットワークとのインターフェースに用いられるのと同様に、さまざまなプロセッサとの間で通信するために用いられる。
【００２２】
図1−９に示されるフローチャート・ユーザ・インターフェース・ディスプレイ画像、システムおよび方法は、排他的でない。他のフローチャート表示画像、システムおよび方法は、同じ目的を達成するために、本発明の原則に従って導き出されてもよい。本発明は特定の具体例を参照して記載されているが、本願明細書において、記載されている実施例およびバリエーションは例示のみを目的としており、さまざまな変更態様が本発明の範囲内において、当業者により行うことができると理解されている。発明原理によるフローチャート・ユーザ・インターフェース機能及びカーソル・ツール機能は電子的にフィルター処理され、選択されたデータから成るいかなるテーブルにも適用することができる。
【図面の簡単な説明】
【００２３】
【図１】本発明の原理による各種装置を有する通信ネットワークのブロック図である。
【図２】本発明におけるユーザ・インターフェースを提供する方法のフローチャートを表す。
【図３】本発明におけるトレンド表示ディスプレイの患者の医療パラメータ・データの画像のユーザ編集をサポートしているユーザ・インターフェースのディスプレイイメージを示す。
【図４】本発明におけるトレンド表示ディスプレイの患者の医療パラメータ・データの画像のユーザ注釈をサポートしているユーザ・インターフェースのディスプレイイメージを示す。
【図５】本発明における拡大された患者の医療パラメータ収集時間間隔から成るユーザ・インターフェース表示拡大（ズーム）ウインドウを示す。
【図６】本発明における図５の拡大ウインドウ中の患者の医療パラメータ・データのユーザ選択および編集をサポートしているユーザ・インターフェース表示ウインドウを示す。
【図７】本発明におけるトレンド表示ディスプレイの多数の収集時間間隔を含んでいる図３の患者のパラメータを編集するユーザ・インターフェース表示イメージを示す。
【図８】本発明における患者の医療情報を表示するシステムのユーザ・インターフェースを提供する方法のフローチャートである。
【図９】本発明の機能を有するサーバのブロック図である。
【図１】
2005527284.tif 000003
【図２】
2005527284.tif 000004
【図３】
2005527284.tif 000005
【図４】
2005527284.tif 000006
【図５】
2005527284.tif 000007
【図６】
2005527284.tif 000008
【図７】
2005527284.tif 000009
【図８】
2005527284.tif 000010
【図９】
2005527284.tif 000011
【国際調査報告】
2005527284.tif 000012
2005527284.tif 000013
2005527284.tif 000014